(57)【特許請求の範囲】
【請求項１】
ズームカメラ本体の背面に枢着した裏蓋に設けた、常時は中立位置に位置するとともに、望遠操作位置と広角操作位置とに移動しうるズーム操作部材；
上記裏蓋の上記ズームカメラ本体との対向面に設けた、ズーム操作部材が上記中立位置に位置するときは初期形状を維持し、ズーム操作部材が上記望遠操作位置または広角操作位置に移動したときは弾性変形する弾性材料からなる押圧部材；
上記ズームカメラ本体の上記背面に形成した、長ハブ収容部を有するパトローネ室；
上記ズームカメラ本体の上記背面に上記長ハブ収容部の側方に位置するように設けた、上記裏蓋が閉じた状態で上記ズームスイッチが上記中立位置に位置するときは上記押圧部材から押圧力を受けずに非作動位置に位置し、上記裏蓋が閉じた状態でズームスイッチが上記望遠操作位置または広角操作位置に移動したときに弾性変形した上記押圧部材から押圧力を受けて作動位置に移動させられる伝達部材；及び
上記ズームカメラ本体に設けた、ズームレンズの駆動手段を作動させる制御回路と電気的に接続されるとともに、上記伝達部材が上記非作動位置に位置するときはズーム操作部材の動きが伝達されず、上記伝達部材が上記作動位置に移動したときはズーム操作部材の動きが伝達されるズームスイッチ；
を備え、
上記ズームスイッチは裏蓋が閉じたときに、上記ズーム操作部材が中立位置にあるとＯＦＦ状態となり、上記ズーム操作部材を望遠操作位置に移動させると、上記駆動手段を作動させて焦点距離が長くなるようにズームレンズを移動させる望遠ＯＮ状態となり、上記ズーム操作部材を広角操作位置に移動させると、上記駆動手段を作動させて焦点距離が短くなるようにズームレンズを移動させる広角ＯＮ状態となることを特徴とするズームカメラのスイッチ構造。
【請求項２】
請求項１記載のズームカメラのスイッチ構造において、
上記伝達部材が、上記ズームスイッチをＯＦＦ状態と望遠ＯＮ状態に切り替える望遠伝達部材と、上記ズームスイッチをＯＦＦ状態と広角ＯＮ状態に切り替える広角伝達部材とからなり、
上記望遠伝達部材と広角伝達部材が、カメラ本体の背面に、左右の側縁が下方に向かって傾斜する長ハブ収容部の左右両側に位置するように設けられたことを特徴とするズームカメラのスイッチ構造。
【請求項３】
請求項２記載のズームカメラのスイッチ構造において、
上記ズーム操作部材が、上記望遠操作位置と広角操作位置との間を揺動しうるシーソー式であるズームカメラのスイッチ構造。
【発明の詳細な説明】
【０００１】
【技術分野】
本発明は、ズームカメラに設けられた、ズームレンズの突出量を調整するためのスイッチ構造に関する。
【０００２】
【従来技術及びその問題点】
従来のズームカメラの一例としては、ズームカメラの裏蓋に、ズームレンズの突出量を調整するズーム操作部材と、ズーム操作部材に連係されたズームスイッチを設けるとともに、カメラ本体の内部に、ズームレンズの駆動手段（モータ）を作動させる制御回路を設けて、ズームスイッチと制御回路を、裏蓋のヒンジ部に通したリード線やフレキシブル基板で電気的に接続し、ズーム操作部材を操作することにより、ズームレンズを駆動させるものがあった。
【０００３】
しかし、リード線やフレキシブル基板がヒンジ部を通っているので、裏蓋を開閉するときにこれらの部材が断線するおそれがあった。
また、カメラの組立時には、リード線やフレキシブル基板をヒンジ部に通す作業が必要なので、組立工数が多くなり、組立作業が複雑であった。
【０００４】
【発明の概要】
本発明のズームカメラのスイッチ構造は、ズームカメラ本体の背面に枢着した裏蓋に設けた、常時は中立位置に位置するとともに、望遠操作位置と広角操作位置とに移動しうるズーム操作部材；上記裏蓋の上記ズームカメラ本体との対向面に設けた、ズーム操作部材が上記中立位置に位置するときは初期形状を維持し、ズーム操作部材が上記望遠操作位置または広角操作位置に移動したときは弾性変形する弾性材料からなる押圧部材；上記ズームカメラ本体の上記背面に形成した、長ハブ収容部を有するパトローネ室；上記ズームカメラ本体の上記背面に上記長ハブ収容部の側方に位置するように設けた、上記裏蓋が閉じた状態で上記ズームスイッチが上記中立位置に位置するときは上記押圧部材から押圧力を受けずに非作動位置に位置し、上記裏蓋が閉じた状態でズームスイッチが上記望遠操作位置または広角操作位置に移動したときに弾性変形した上記押圧部材から押圧力を受けて作動位置に移動させられる伝達部材；及び上記ズームカメラ本体に設けた、ズームレンズの駆動手段を作動させる制御回路と電気的に接続されるとともに、上記伝達部材が上記非作動位置に位置するときはズーム操作部材の動きが伝達されず、上記伝達部材が上記作動位置に移動したときはズーム操作部材の動きが伝達されるズームスイッチ；を備え、上記ズームスイッチは裏蓋が閉じたときに、上記ズーム操作部材が中立位置にあるとＯＦＦ状態となり、上記ズーム操作部材を望遠操作位置に移動させると、上記駆動手段を作動させて焦点距離が長くなるようにズームレンズを移動させる望遠ＯＮ状態となり、上記ズーム操作部材を広角操作位置に移動させると、上記駆動手段を作動させて焦点距離が短くなるようにズームレンズを移動させる広角ＯＮ状態となることを特徴としている。
【０００５】
【発明の概要】
本発明のズームカメラのスイッチ構造は、ズームカメラ本体に枢着された裏蓋に、常時は中立位置に位置するとともに、望遠操作位置と広角操作位置とに移動しうるズーム操作部材を設け、ズームカメラ本体に、ズームレンズの駆動手段を作動させる制御回路と電気的に接続されるとともに、裏蓋が開いたときはズーム操作部材の動きが伝達されず、裏蓋が閉じたときはズーム操作部材の動きが伝達されるズームスイッチを設け、上記ズームスイッチは裏蓋が閉じたときに、上記ズーム操作部材が中立位置にあるとＯＦＦ状態となり、上記ズーム操作部材を望遠操作位置に移動させると、上記駆動手段を作動させて焦点距離が長くなるようにズームレンズを移動させる望遠ＯＮ状態となり、上記ズーム操作部材を広角操作位置に移動させると、上記駆動手段を作動させて焦点距離が短くなるようにズームレンズを移動させる広角ＯＮ状態となることを特徴としている。
【０００７】
また、上記ズームスイッチが、上記非作動位置と望遠作動位置との間を移動しうる望遠伝達部材と、上記非作動位置と広角作動位置との間を移動しうる広角伝達部材とからなり、上記望遠伝達部材と広角伝達部材が、カメラ本体の背面に、左右の側縁が下方に向かって傾斜する長ハブ収容部の左右両側に位置するように設けられるのが好ましい。
【０００８】
さらに、上記ズーム操作部材が、上記望遠操作位置と広角操作位置との間を揺動しうるシーソー式であるのが好ましい。
【０００９】
【発明の実施の形態】
以下、本発明の一実施形態について添付図面を参照しながら説明する。
なお、以下の説明中の方向は、上下前後はズームカメラを基準としており、左右は図２の状態（ズームカメラを後方から見た状態）を基準としている。
【００１０】
ズームカメラ本体１０の後面の右端部には、上部に長ハブＡ１を有するパトローネＡを収容するためのパトローネ室１１が形成されている。図２に示すように、パトローネ室１１の上端部をなす長ハブ収容部１２は、頭頂部が切り落とされた三角錐状をなしている。
【００１１】
ズームカメラ本体１０の後壁部１０ａには、長ハブ収容部１２の左右両側に位置するようにして一対の孔１３、１４が穿設されている。左右の孔１３、１４には、ほぼ円柱状の広角伝達部材１５と望遠伝達部材１６が光軸方向に摺動自在に挿入されており、広角伝達部材１５と望遠伝達部材１６は、その後端部が後壁部１０ａの後方に突出する非作動位置（図３の状態）と、孔１３、１４の内部に完全に収納された広角作動位置（図４の広角伝達部材の位置）及び望遠作動位置（図５の望遠伝達部材の位置）との間を光軸方向に移動できる。
【００１２】
広角伝達部材１５と望遠伝達部材１６は、その前端部に形成されたフランジ１５ａ、１６ａが後壁部１０ａの前面に当接することにより、後方への移動端を規制されている。
【００１３】
ズームカメラ本体１０の内部に配設された固定部材（図示略）には、金属片を折り曲げて成形された平面視Ｔ字形のスイッチ片１７の取付部１７ａが固着されている。図６及び図７に示すように、スイッチ片１７の左右の側片１７ｂの下面には円形の切欠部１７ｃが設けられており、左右の切欠部１７ｃは広角伝達部材１５と望遠伝達部材１６の前端部に上方から係合している。
【００１４】
スイッチ片１７の左右の側片１７ｂは前後方向に弾性変形することができ、常時は、左右の側片１７ｂが広角伝達部材１５と望遠伝達部材１６のフランジ１５ａ、１６ａに当接することにより、広角伝達部材１５と望遠伝達部材１６を後方に向けて付勢し、広角伝達部材１５と望遠伝達部材１６を非作動位置に位置させ（図３参照）、広角伝達部材１５と望遠伝達部材１６が前方に移動すると、スイッチ片１７の直後に立設されたストッパ１８、１８に当接するまで前方に弾性変形する（図４及び図５参照）。
【００１５】
固定部材には、スイッチ片１７の前方に位置するようにして、互いに左右対称形をなす一対の金属製の広角接触片１９と望遠接触片２０の取付部１９ａ、２０ａが固着されている。
スイッチ片１７と広角接触片１９と望遠接触片２０によりズームスイッチＳ１が構成されており、ズームスイッチＳ１と広角伝達部材１５と望遠伝達部材１６によりズームスイッチ機構Ｓが構成されている。
【００１６】
ズームスイッチＳ１は、常時は、広角接触片１９と望遠接触片２０がそれぞれ左右の側片１７ｂ、１７ｂと非接触のＯＦＦ状態にある（図３参照）。
また、ズームスイッチＳ１は、広角伝達部材１５が広角作動位置に移動すると、スイッチ片１７の左側の側片１７ｂが広角接触片１９に接触する広角ＯＮ状態（図４参照）となり、望遠伝達部材１６が望遠作動位置に移動すると、スイッチ片１７の右側の側片１７ｂが望遠接触片２０に接触する望遠ＯＮ状態（図５参照）となる。
【００１７】
図３に示すように、スイッチ片１７と広角接触片１９と望遠接触片２０は、ズームレンズＬのモータ（駆動手段）Ｍを駆動させる制御回路Ｃと電気的に接続されている（図４及び図５では、制御回路Ｃ、モータＭ、ズームレンズＬの図示を省略している）。
【００１８】
ズームカメラ本体１０の裏面の右端部には、開閉自在な裏蓋２１の右端部が回転軸２２を介して枢着されており、この裏蓋２１を閉じることによりパトローネ室１１は閉塞される。裏蓋２１の右側の上端角部には横長方形の取付孔２１ａが穿設されている。
【００１９】
裏蓋２１の取付孔２１ａには操作部材ユニットＵが嵌合され、図示を省略したネジにより裏蓋２１に固定されている（図３乃至図５参照）
この操作部材ユニットＵは、図８に示すように、押圧部材２３、遮光部材２４、ズーム操作部材２５、カバー部材２６からなるものである。
【００２０】
金属片を折曲して形成した押圧部材２３は、左右一対の押圧片２３ａと左右１対の取付片２３ｂとを具備し、取付片２３ｂは遮光部材２４の前面に当接している。
遮光部材２４の後面には左右一対のボス孔２４ａ、２４ｂが設けられており、遮光部材２４の後面の中央部には、上下方向を向く回転軸２５ａを介して、シーソー式のズーム操作部材２５が、前後方向に揺動自在に枢着されている。
【００２１】
ズーム操作部材２５の前面の左右２カ所に設けられた前向きの押圧ピン２５ｂ、２５ｃは、それぞれ左右のボス孔２４ａ、２４ｂに遊嵌している。
長孔２６ａが設けられたカバー部材２６は、長孔２６ａにズーム操作部材２５を遊嵌した状態でズーム操作部材２５の後方からズーム操作部材２５に被さり、その前面が遮光部材２４の後面に当接し、押圧部材２３の取付片２３ｂと遮光部材２４とカバー部材２６は、左右一対のネジ２７、２７により互いに固定されている。
【００２２】
押圧部材２３の押圧片２３ａは前後方向に弾性変形可能であり、常時は遮光部材２４の前面と左右の押圧ピン２５ｂ、２５ｃの前面に当接して、ズーム操作部材２５を図３に示す中立位置に保持している。
ズーム操作部材２５は、その左半部（Ｗの文字が付された部分）を前方に揺動させると、左側の押圧片２３ａを弾性変形させながら図４に示す広角操作位置に移動し、右半部（Ｔの文字が付された部分）を前方に揺動させると、右側の押圧片２３ａを弾性変形させながら図５に示す望遠操作位置に移動する。
【００２３】
図４に示すように、裏蓋２１を閉じた状態で、ズーム操作部材２５の左半部を広角操作位置に移動させると、押圧ピン２５ｂにより左側の押圧片２３ａが広角伝達部材１５を前方に押圧し、広角伝達部材１５がスイッチ片１７の左側の側片１７ｂを前方に弾性変形させて、左側の側片１７ｂを広角接触片１９に接触させる。
このようにズームスイッチＳ１が広角ＯＮ状態になると、制御回路ＣがモータＭを逆転させ、焦点距離が短くなる方向にズームレンズＬを移動させる。
【００２４】
一方、図５に示すように、裏蓋２１を閉じた状態で、ズーム操作部材２５の右半部を望遠操作位置に移動させると、押圧ピン２５ｃにより右側の押圧片２３ａが望遠伝達部材１６を前方に押圧し、望遠伝達部材１６がスイッチ片１７の右側の側片１７ｂを前方に弾性変形させて、右側の側片１７ｂを望遠接触片２０に接触させる。
このようにズームスイッチＳ１が望遠ＯＮ状態になると、制御回路ＣがモータＭを正転させ、焦点距離が長くなる方向にズームレンズＬを移動させる。
【００２５】
このような本実施形態によれば、ズームスイッチ機構Ｓと制御回路Ｃがズームカメラ本体１０に設けられているので、裏蓋２１を繰り返し開閉しても、ズームスイッチＳ１と制御回路Ｃの間の電気配線が断線することがないとともに、ズームカメラを簡単に組み立てることができる。
【００２６】
また、左右の側縁が斜め下方に向かって傾斜する長ハブ収容部１２の左右両側のスペースに広角伝達部材１５と望遠伝達部材１６を設けたので、ズームカメラ本体１０を大型化することなく広角伝達部材１５と望遠伝達部材１６を設けることができ、この結果、裏蓋２１は従来と同様の形状でよく、広角伝達部材１５と望遠伝達部材１６を覆うために裏蓋２１を大型化したり、特殊形状とする必要がない。
【００２７】
さらに、ズーム操作部材２５が、広角伝達部材１５と望遠伝達部材１６の両方に接触可能なシーソー式なので、望遠伝達部材用と広角伝達部材用の２個のズーム操作部材を設ける必要がなく、部品点数の削減を図ることができる。
【００２８】
なお、ズーム操作部材２５を、左右方向に移動自在なスライド式のものとしたり、広角伝達部材１５と望遠伝達部材１６にそれぞれ接触する２個の操作部材からなるものとしてもよい。
【００２９】
【発明の効果】
以上のような本発明によれば、ズームレンズの突出量を調整するズーム操作部材を裏蓋に取り付けた場合にあっても、裏蓋を繰り返し開閉してもズームスイッチと制御回路を連絡する電気配線が断線することがなく、かつ、ズームカメラを簡単に組み立てることができる。
さらに、ズームカメラ本体の裏蓋との対向面の長ハブ収容部の側方部分のスペース（デッドスペース）を伝達部材の設置部として有効活用しているので、伝達部材を他の箇所に設ける場合に比べて、ズームカメラ本体（カメラボディ）を小型化できる。
【図面の簡単な説明】
【図１】本発明の一実施形態のズームカメラの要部の背面図である。
【図２】同じく、裏蓋をズームカメラから取り外した状態の図１と同様の背面図である。
【図３】同じく、ズーム操作部材が中立位置にあるときのズームカメラの要部の拡大横断平面図である。
【図４】同じく、ズーム操作部材が広角操作位置にあるときのズームカメラの要部の拡大横断平面図である。
【図５】同じく、ズーム操作部材が望遠操作位置にあるときのズームカメラの要部の拡大横断平面図である。
【図６】同じく、広角伝達部材、望遠伝達部材、スイッチ片、広角接触片、望遠接触片の拡大分解斜視図である。
【図７】同じく、広角伝達部材、望遠伝達部材、スイッチ片、広角接触片、望遠接触片を組み付けた状態を示す拡大斜視図である。
【図８】同じく、操作部材ユニットの拡大分解斜視図である。
【符号の説明】
１０  ズームカメラ本体
１０ａ後壁部
１１  パトローネ室
１２  長ハブ収容部
１３  孔
１４  孔
１５  広角伝達部材
１５ａフランジ
１６  望遠伝達部材
１６ａフランジ
１７  スイッチ片
１７ａ取付部
１７ｂ側片
１７ｃ切欠部
１８  ストッパ
１９  広角接触片
１９ａ取付部
２０  望遠接触片
２０ａ取付部
２１  裏蓋
２１ａ取付孔
２２  回転軸
２３  押圧部材
２３ａ押圧片
２３ｂ取付片
２４  遮光部材
２４ａボス孔
２４ｂボス孔
２５  ズーム操作部材
２５ａ回転軸
２５ｂ押圧ピン
２５ｃ押圧ピン
２６  カバー部材
２６ａ長孔
２７  ネジ
Ａ    パトローネ
Ａ１  長ハブ
Ｃ    制御回路
Ｌ    ズームレンズ
Ｍ    モータ（駆動手段）
Ｓ    ズームスイッチ機構
Ｓ１  ズームスイッチ
Ｕ    操作部材ユニット
【図１】
0003762647.tif 000002
【図２】
0003762647.tif 000003
【図３】
0003762647.tif 000004
【図４】
0003762647.tif 000005
【図５】
0003762647.tif 000006
【図６】
0003762647.tif 000007
【図７】
0003762647.tif 000008
【図８】
0003762647.tif 000009